(57)【要約】【課題】衝撃時にボックス内の対象のサポート及び緩衝の両方の効果を提供する。【解決手段】本発明に従って、少なくとも２つの上縁（１４）を有する対象（Ｏ）を収容するボックスは、側壁（２Ａ〜２Ｄ）と、対象（Ｏ）を受容することができる内部容量（４）を側壁とともに定める底（３）と、内部容量（４）が閉じられている閉成位置及び内部容量（４）が開かれている開放位置を占めることができるように側壁の少なくとも１つ（２Ｃ）に対して可動であるカバー（５）とを有し、カバー（５）は、内部容量（４）の方に向いたその内面において、互いに反対側に配置され、カバー（５）が閉成位置を占める場合に対象（Ｏ）の上縁（１４）に対して夫々当てられるよう設計される少なくとも２つのメインフラップ（１１）を有することを特徴とする。【選択図】図１
2014088214.tif 000002
【特許請求の範囲】
【請求項１】
少なくとも２つの上縁を有する対象を収容するボックスであって、
側壁と、
前記対象を受容することができる内部容量を前記側壁とともに定める底と、
前記内部容量が閉じられている少なくとも１つの閉成位置及び前記内部容量が開かれている１つの開放位置を占めることができるように、前記側壁の少なくとも１つに対して可動であるカバーと
を有するボックスにおいて、
前記カバーは、前記内部容量の方に向いたその内面において、互いに反対側に配置され、前記カバーが前記閉成位置を占める場合に前記対象の前記上縁に対して夫々当てられるよう設計される少なくとも２つのメインフラップを有する、ことを特徴とするボックス。
【請求項２】
前記メインフラップは夫々、前記カバーの前記閉成位置において前記対象の対応する突出した縁と接するよう設計される、前記内部容量の内側の方に向いた傾斜面を有する、
請求項１に記載のボックス。
【請求項３】
前記メインフラップの夫々は、前記傾斜面を定めるように、２つの別々の折り曲げ軸に沿って折られる前記カバーの縦方向の延在によって形成される、
請求項２に記載のボックス。
【請求項４】
前記メインフラップの夫々の内端は自由である、
請求項２又は３に記載のボックス。
【請求項５】
前記メインフラップの夫々は、前記２つの別々の折り曲げ軸の間に定められ且つ前記カバーが前記閉成位置を占める場合に当該ボックスの前記側壁の１つに対して当てられるよう設計される前記カバーに対する直交面を有する、
請求項３又は４に記載のボックス。
【請求項６】
前記メインフラップは、ボール紙を含む可塑性材料から形成される、
請求項１乃至５のうちいずれか一項に記載のボックス。
【請求項７】
前記対象を受容することができる筐体を調節可能に定めるように、互いに反対側に配置される２つの内部側壁を有し、前記内部側壁の夫々は、当該ボックスの前記側壁の１つに押しつけることができる少なくとも１つの補助緩衝フラップにより、その２つの端の夫々で、縦方向に延伸される、
請求項１乃至６のうちいずれか一項に記載のボックス。
【請求項８】
前記底は、前記対象が載るよう設計される更なる緩衝手段を有する、
請求項１乃至７のうちいずれか一項に記載のボックス。
【請求項９】
前記更なる緩衝手段は、前記対象が載ることができる少なくとも２つの更なる緩衝フラップを有する、
請求項８に記載のボックス。
【請求項１０】
請求項１乃至９のうちいずれか一項に記載のボックスを、連続的な折り畳み動作によって得る部品。
【発明の詳細な説明】
【技術分野】
【０００１】
本発明は、所与の対象（例えば、ハードディスク、家庭内ネットワークのためのゲートウェイ、等）を生産現場から受取人である消費者までの輸送中に保護するよう設計された梱包ボックスに関する。
【背景技術】
【０００２】
既知の方法において、梱包ボックスは、輸送される対象の形状を大体補完する形状を有する内部受容容積を有し、その受容容積において調節可能に対象を収容することができることが知られる。梱包ボックス内の対象の動きはこのようにして低減され、又は完全に防がれる。このように、対象は、衝撃から保護されたまま取り扱われて輸送され得る。
【０００３】
それにも関わらず、輸送する幾つかの対象は、非常に壊れやすく、特に衝撃に弱い内部部品又は要素を有する。梱包ボックスの内部容量の適切な形状は、輸送対象の外装を有効に保護するとしても、それでもやはり、それらの対象の内部部品又は要素への衝撃波の伝播を防ぐには無力なままである。実際には、対象が正確にサポートされる場合に、容量内の如何なる動きも制止され、それにより、振動は対象の内部部品又は要素へ直接に伝えられ、それらの内部部品又は要素に損傷を与えうる。
【０００４】
従って、この欠点を解消するために、例えば、特開２００７−１０６４８０号公報（特許文献１）から、平行６面体形状の梱包ボックスに緩衝フラップを設けることが知られている。夫々の緩衝フラップは、内部受容容積の内側内に折り曲げられた箱側面の延在によって形成される。従って、梱包ボックスは、衝撃による輸送対象の動きを減衰及び抑止するように、その側面に配置されたこのような１又はそれ以上の緩衝フラップを有することができる。
【０００５】
しかし、そのような緩衝フラップは梱包ボックスが受ける衝撃を吸収するが、箱内の対象のサポートは、緩衝フラップを有さないが対象の形状に対して厳密な補完形状の内部容量を有する梱包ボックスについて満足されていたほどには、もはや提供されない。衝撃時の対象の緩衝は、梱包ボックス内の対象のサポートの喪失に対して得られる。これは、そのような緩衝効果を得るために、少なくとも部分的に、如何なる動きも抑止して対象の内部部品又は要素への衝撃波の伝播を減衰させることができるように対象のサポートを解放する必要があるためである。すなわち、１又はそれ以上の緩衝フラップの存在は、緩衝を支持して梱包ボックスの内部容量内の対象のサポートを低下させる。
【先行技術文献】
【特許文献】
【０００６】
【特許文献１】特開２００７−１０６４８０号公報
【発明の概要】
【発明が解決しようとする課題】
【０００７】
本発明の目的は、少なくとも上記の欠点を改善すること、特に、梱包ボックスが衝撃を受ける場合に対象のサポート及び緩衝の両方の効果を提供する梱包ボックスを供給することである。
【課題を解決するための手段】
【０００８】
上記の目的のために、本発明に従って、少なくとも２つの上縁を有する、望ましくは平行６面体形状の、対象を収容するボックスは、
側壁と、
前記対象を受容することができる内部容量を前記側壁とともに定める底と、
前記内部容量が閉じられている少なくとも１つの閉成位置及び前記内部容量が開かれている１つの開放位置を占めることができるように、前記側壁の少なくとも１つに対して可動であるカバーと
を有し、
前記カバーは、前記内部容量の方に向いたその内面において、互いに反対側に配置され、前記カバーが前記閉成位置を占める場合に前記対象の前記上縁に対して夫々当てられるよう設計される少なくとも２つのメイン緩衝フラップを有して、特に、前記対象が前記底に対して前記内部容量内でサポートされることを可能にする、ことを特徴とする。
【０００９】
従って、本発明から、梱包ボックスの緩衝フラップは、カバーが閉成位置にある場合に、輸送対象の２つの縁に対するそれらの同時の適用によって、ボックスの底に対するボックスの内部容量内における対象のサポート及び衝撃時の対象の緩衝の両方をもたらすことができる。
【００１０】
すなわち、カバーの閉成位置において対象により互いに連結された両緩衝フラップの協働が、輸送対象のサポートの低下を伴わずに有効な緩衝が得られることを可能にすることができる。
【００１１】
本発明に従う夫々の梱包ボックスは、関連する対象の寸法及び形状に適合された寸法及び形状を有するべきである。
【００１２】
更に、本発明に従う実施形態において、前記メインフラップは夫々、望ましくは、前記カバーの前記閉成位置において前記対象の対応する突出した縁と接するよう設計される、前記内部容量の内側の方に向いた傾斜面を有する。
【００１３】
従って、カバーに対するメインフラップの傾きは、カバーが閉成位置に保たれると、同じ面に属する少なくとも２つの異なる（例えば、直交する）方向に従って、関連する対象の緩衝を得ることができる。
【００１４】
更に、前記メインフラップの夫々は、有利に、前記傾斜面を定めるように、２つの別々の折り曲げ軸に沿って折られる前記カバーの縦方向の延在によって形成され得る。
【００１５】
本発明の有利な実施形態では、フラップ及び側壁は１つの単一部品のみを形成して、ボックスの製造を容易にする。変形例として、例えば、メインフラップの夫々を、対応する側壁に接着することによって取り付けることが考えられる。
【００１６】
有利に、前記メインフラップの夫々の内端は自由であり、物理変形を防ぎ又は減らすために、メインフラップが特定の力が加えられる場合（例えば、衝撃時）に動くことを可能にする。
【００１７】
望ましくは、前記メインフラップの夫々は、前記２つの別々の折り曲げ軸の間に定められ且つ前記カバーが前記閉成位置を占める場合に当該ボックスの前記側壁の１つに対して当てられるよう設計される前記カバーに対する直交面を有する。
【００１８】
このように、メインフラップにおいて発揮される力の一部は、その変形を制限しながら閉成位置におけるカバーのサポートに関与することができる当該直交面に対向する対応する側壁に対して相殺される。
【００１９】
更に、前記メインフラップは、望ましくは、例えばボール紙のような可塑性材料から形成されて、決定的な且つ不可逆の変形の如何なる危険性も伴わずに衝撃を吸収することができるようにする。メインウィングのフラップはまた、梱包ボックスにおける対象の恒久的なサポートを提供することができる。
【００２０】
更に、前記ボックスは、有利に、前記対象を受容することができる筐体を調節可能に定めるように、互いに反対側に配置される２つの内部側壁を有し、前記内部側壁の夫々は、当該ボックスの前記側壁の１つに押しつけることができる少なくとも１つの補助緩衝フラップにより、その２つの端の夫々で、縦方向に延伸される。
【００２１】
従って、補助フラップは、例えば、メインフラップに関連する緩衝方向に直交する方向に沿って対象の如何なる動きも抑える。それらはまた、ボックスにおいて対象をサポートし続けることができる。
【００２２】
有利に、前記底は、前記対象が載るよう設計される更なる緩衝手段を有することができる。
【００２３】
特に、前記更なる緩衝手段は、前記対象が載ることができる少なくとも２つの更なる緩衝フラップを有することができる。
【００２４】
従って、上述されたように梱包ボックスがメイン、補助及び追加のフラップを有する場合に、対応する筐体において収容される対象は、内部容量において完全に浮いており、これは、衝撃時に不可欠の緩衝を提供することができる。
【００２５】
本発明は、上記のボックスを連続的な折り畳み動作によって得る、例えばボール紙のような部品に関する。
【００２６】
そのような部品は、有利に平らであり、望ましくは、異なる折り畳み動作を可能にする切り込みを有する。
【発明の効果】
【００２７】
本発明の実施形態によれば、梱包ボックスが衝撃を受ける場合に対象のサポート及び緩衝の両方の効果を提供することを可能にする。
【図面の簡単な説明】
【００２８】
【図１】本発明に従う梱包ボックスの実施形態を、そのカバーが開放位置を占める場合において、斜視図で示す。
【図２】図１の梱包ボックスの受容容量の上面図を、カバーを省略した態様で示す。
【図３】カバーが閉成位置に配置される場合において、梱包ボックスの図２の線ＩＩＩ−ＩＩＩに沿った断面図を示す。
【発明を実施するための形態】
【００２９】
図面は、如何にして本発明が実施され得るのかについて良好な理解を提供する。図面において、同じ参照符号は、同じような要素を表す。
【００３０】
図１乃至３において、本発明に従う実施形態に従って、ボックス１は、長方形平行６面体の形を有する対象Ｏを収容するために示されている。
【００３１】
当然、本発明は、上記の形態を有する対象に全く制限されず、如何なる他の形状の対象にも適応され得ることが理解される。
【００３２】
更に、先に述べたが、梱包ボックス１の寸法及び形状は、梱包対象Ｏの寸法及び形状に従って自明に定められる。
【００３３】
以下で、慣例により、梱包ボックス１は、当該ボックス１に関連する正規直交軸（ｘ，ｙ，ｚ）の方向ｘ、ｙ及びｚに沿って夫々延在する幅ｌ、長さＬ及び深さｐによって定義される。更に、前後、左右、及び上下の考えは、方向ｘ、ｙ及びｚに関して定義され、軸（ｘ，ｙ，ｚ）の矢印の方向は、前から後ろ、左から右、及び下から上の通過を示す。
【００３４】
図が示すように、梱包ボックス１は、既知の態様において：
周囲ベルトを定める側壁２Ａ、２Ｂ、２Ｃ及び２Ｄと、
対象Ｏを受容するよう設計された内部容量４を側壁２Ａ乃至２Ｄとともに定める底３と、
内部容量４が閉じられている少なくとも１つの閉成位置（図３）及び内部容量４が開かれている開放位置（図１）を占めることができるように、側壁２Ａ乃至２Ｄに対して可動であるカバー５と
を有する。開放位置は、閉成位置（カバー５が方向ｚと９０度の角度を有する。）に関連するカバー５の傾きは別として、カバー５の傾きの大きさに対応することができることが知られる。
【００３５】
特に、カバー５は、方向ｙにおいて延在する折り曲げ線６に沿ってボックスの背面側壁２Ｃへ接続されている。カバー５は：
方向ｙにおいて延在する折り曲げ線８に沿って側壁２Ａに対して折り曲げられ得る可動な前片７と、
前片７が側壁２Ａに対して折り曲げられる（よって、カバー５が図３の閉成位置を占める）場合に、左側壁２Ｂ及び右側壁２Ｃの前方向に縦走する端で形成される対応する溝１０に取り込まれ得る支持フランジ９と
を有する。
【００３６】
変形例として、カバー５は、側壁と別個であって、梱包ボックスの周囲ベルトに取り付けられてよい。
【００３７】
本発明に従って、図１及び図３に表されるように、カバー５は、受容容量４の方に向いたその内面において、カバー５の左右の縦走する端に配置された２つのメイン緩衝フラップ１１を更に有する。メインフラップ１１は、カバー５の内面において正反対の位置に配置されている。
【００３８】
当然、変形例として、メインフラップ１１の数及び位置は異なってよい。従って、例えば、カバーの同じ縁部に２又はそれ以上のメインフラップを有し、あるいは、カバーの夫々の先端の高さでメインフラップを設計することが可能である（後者の場合には、少なくとも４つのメインフラップが存在する。）。
【００３９】
例において、夫々のメインフラップ１１は、互いに平行且つ折り曲げ軸８に垂直な２つの別個の折り曲げ軸１２及び１３に沿って折り曲げられる、カバー５の縦方向の延伸によって形成される。
【００４０】
従って、メインフラップの夫々は：
カバー５が閉成位置（図３）を占める場合に、対象Ｏの対応する突出した縁１４が載ることができる傾斜面１１Ａと、
２つの折り畳み軸１２及び１３の間に定められるカバー５に垂直な面１１Ｂと
を有する。直交面１１Ｂは、カバー５が閉成位置にあると、対応する側壁２Ｂ、２Ｃの内面に当たる。
【００４１】
更に、夫々のメインフラップ１１の内端１１Ｃは自由である。これは、メインフラップ１１がそれに適用される制約に従ってカバー５の内面に対して動くことを可能にし、且つ、ボックス１の製造を容易にする（例えば、接着が不可欠でなくなる。）。
【００４２】
更に、例において、本発明に従って、梱包ボックス１は、互いに反対側に配置されている２つの内部側壁１５Ａ及び１５Ｂを有する（図１及び図２参照）。
【００４３】
考えられている輸送対象の形状のために、内部側壁１５Ａ及び１５Ｂは、例では、夫々、顕著に左右の側壁２Ｂ及び２Ｄに平行である。
【００４４】
それらは、対象Ｏを調整可能に受容することができる筐体４Ａを定める。すなわち、内部壁１５Ａ及び１５Ｂの間の距離は、受容容量４において支持される対象Ｏを保持するように、有利に対象Ｏの対応する寸法（例では、その長さ）に従って定められ得る。
【００４５】
夫々の内部壁１５Ａ、１５Ｂは、ボックス１の対応する向かい合った側壁２Ａ又は２Ｃの内面に寄りかかることができる補助緩衝フラップ１６によって、その２つの前後の端部の夫々で縦方向に延伸される。同じ内部壁１５Ａ、１５Ｂの２つの補助フラップ１６を離す幅は、有利に対象Ｏの幅に対応する。補助フラップ１６の傾斜は、前から後ろへの、及び反対にｘ方向における、対応Ｏの動きを防ぐか、又は少なくとも減じる。
【００４６】
図１乃至３の例では、梱包ボックス１は、対象Ｏが載ることができる２つの更なる緩衝フラップ１７を更に有する。すなわち、対象Ｏは、更なるフラップ１７によってボックス１の底３に支えられる。
【００４７】
夫々の更なるフラップ１７は、対応する左右の側壁２Ｂ又は２Ｄを部分的に形成する折り曲げ部１８の延在によって定められる。折り曲げ部１８の延在は、方向ｘに平行な３つの折り曲げ軸１９、２０及び２１に沿って３度折り曲げられる。それにより、更なるフラップ１７は：
折り曲げ軸２１と折り曲げ部１８の延在の先端との間に定められる傾斜した側片１７Ａを有し、傾斜片１７Ａは、対象Ｏが筐体４Ａ内に挿入されると、ボックス１の底３に平行になることができ、
底３に顕著に直交する側片１７を有する。
【００４８】
更なるフラップ１７は、２つの前後の側壁２Ａ及び２Ｃの間で方向ｘに沿って延在する。
【００４９】
図１の例で示されるように、内部側壁１５Ａ及び１５Ｂの下端は、少なくとも部分的に、対応する更なるフラップ１７の自由端と一致する。有利に、折り曲げ部１８の延在及び関連する内壁１５Ａ、１５Ｂは、単一の部品のみを形成することができる。
【００５０】
更に、夫々の補助フラップ１６は、関連する更なるフラップ１７の側片１７Ａ及び１７Ｂを受ける切り込み２２を有する。従って、夫々の補助フラップ１６は、底３の内面と接したままか、又は少なくともそれに近い状態で、前から後ろへ及び後ろから前へ動くことができるよう自由なままである。
【００５１】
例において、メインフラップ１１、補助フラップ１６、及び追加のフラップ１７は、ストレスがそれらに加えられる場合にそれらが僅かに変形することを可能にする、例えばボール紙のような可塑性材料において形成される。
【００５２】
望ましくは、図１乃至３の梱包ボックス１は、例えばボール紙の単一の部品から形成される。それは、所定の折り曲げ線に沿って異なる要素を続けざまに折り曲げることによって得られる。よって、梱包ボックス１の製造は、接着が必要とされず、大いに容易にされる。
【００５３】
対象Ｏが容量４に収容され、且つ、カバー５が閉成位置に配置されると、メインフラップ１１が突出縁１４によって僅かに応力を受ける（よって、フラップ１１の自由端１１Ｃは、カバー５の内面と接して配置される）ように、メインフラップ１１及び更なるフラップ１７は、梱包対象の寸法を考慮することによって寸法決めされる。このようにして、対象Ｏは梱包ボックス１内で有効にサポートされたままとされる。
【００５４】
当然、変形例として、更なるフラップ１７の数及び位置は変更されてよい。例えば、それらの更なるフラップ１７は、幅方向（方向ｘ）ではなく長さ方向（方向ｙ）において配置されてよい。それらはまた、それらの方向に対して更に傾けられても、それより傾けられてなくてもよい。
【００５５】
従って、本発明によれば、カバー５を閉じることは、対象Ｏの突出縁１４と接してメイン緩衝フラップ１１を置き、更なるフラップ１７によって対象Ｏを底３に対して押す。メインフラップ１１の傾斜は、特に互いに直交する少なくとも２つの異なる方向において緩衝を有効にすることができる。更に、側壁１５Ａ及び１５Ｂは、メインフラップ１１及び底３とともに、メインフラップ１１、補助フラップ１６及び追加のフラップ１７によって得られる緩衝を妨げることなく、対象Ｏのための有効なサポートを提供することができる。よって、対象Ｏは、衝撃時に緩衝されながらサポートされたままとされ得る。これは、対象Ｏの内部部品又は要素を守る。
【００５６】
当然、本発明は、上記の実施形態に全く制限されない。
【００５７】
更に、輸送対象のサポート及び緩衝は、底３に直接に対象Ｏが載るようメインフラップ１１のみを用いて得られることが理解される。この場合に、ボックス１は、補助フラップ１６、追加のフラップ１７、及び内部側壁１５Ａ、１５Ｂを有さない。
【符号の説明】
【００５８】
Ｏ                      対象
１                      ボックス
１１                    メインフラップ
１１Ａ                  傾斜面
１２，１３              折り曲げ軸
１４                    上縁
１５Ａ，１５Ｂ          内部側壁
１６                    補助緩衝フラップ
１７                    更なる緩衝フラップ
２Ａ，２Ｂ，２Ｃ，２Ｄ  側壁
３                      底
４                      内部容量
４Ａ                    筐体
５                      カバー
【図１】
2014088214.tif 000003
【図２】
2014088214.tif 000004
【図３】
2014088214.tif 000005
【外国語明細書】
2014088214000001.pdf